(57)【要約】【課題】エアフィルターを定期的に取り外して清掃する頻度を大幅に軽減し、メンテナンスフリーで長期間用いることができるフィルターの構造体を提供する。【解決手段】装置内部を冷却するための空気を流す吸気口と排気口を装置対向側面に設け、前記吸気口から排気口に空気を流す空気供給ファンと、装置側面外周または内周を取り巻く様に塵を遮るロール状のフィルターを設け、前記ロール状のフィルターを装置側面外周または内周を取り巻く様に回転させる駆動部とフィルター動作軸を設ける。【選択図】図１
2012040488.tif 000002
【特許請求の範囲】
【請求項１】
装置内部を冷却するための空気を流す吸気口と排気口とを装置側面に、前記吸気口から排気口に空気を流す空気供給ファンと、装置側面外周または内周及び吸気口と排気口を取り巻く様に塵を遮るロール状のフィルターとを設け、前記ロール状のフィルターを装置側面外周または内周を取り巻く様に回転させる駆動部とフィルター動作軸とを設けられたことを特徴とするフィルター構造体。
【請求項２】
前記吸気口部においてロール状のフィルターにより遮られ集塵された塵が、ロール状のフィルターを回転移動させ前記排気口部に位置した時に、冷却を行った後の排気空気によりフィルターの塵を吹き飛ばし、フィルターが清掃される事を特徴とする請求項１に記載のフィルター構造体。
【請求項３】
塵の量によって、前記ロール状のフィルターの回転速度を可変にできることを特徴とする請求項１または２に記載のフィルター構造体。
【発明の詳細な説明】
【技術分野】
【０００１】
本発明は、冷却用のファンを持つ装置に取り付けられる集塵用のフィルターに関し、自動的に清掃することができる、メンテナンスフリーのフィルター構造体に関する。
【背景技術】
【０００２】
製造現場ではＰＣをはじめ多くの装置が稼動しており、それらには多くの場合、電子部品が組み込まれている。それらはその稼働中は冷却が必要とされることが多くファンなどが用いられている。
【０００３】
ファンなどによる空気の流れを必要とする冷却を行う場合、長期の運用により空気中に含まれる塵が冷却を妨げる問題を発生する。このためファンの前面にフィルターを設け、装置内部への塵の侵入を減らす様考慮する事が行われている。
【０００４】
この場合、装置内部への塵の侵入は削減されるが、フィルターに塵が蓄積するため、一定期間をおきに清掃する必要がある。
【０００５】
上記作業が必要となる間隔は空気中の塵の量や通過する空気の量、フィルターの大きさ、捕集性能などにより異なるが、極端に塵が多い場合、若しくは通過する空気の量が多い場合などには、上記清掃作業の間隔も極端に短くなる。
【０００６】
フィルターの清掃作業の負荷を減らすためにはフィルターの清掃を容易に行うことができる構造をとることが考えられる。ただし上記の様な環境下では取り外しのために装置を停止させることが望ましいが、それができない場合も多い。またフィルターの設置場所によっては作業の負荷はさらに増すことがある。
【０００７】
そのためフィルターを取り外すことなく自動的に清掃できることが望ましい。特許文献１では円状のフィルターを回転させることにより表面へ付着した塵を自動的に取り除く方法が開示されている。ただしこの方法は上記の様に、例えば極端に塵の多い環境では除去する塵が多量となり、収集した塵の処理が問題となる。
【０００８】
特許文献２は装置を取り巻く様な大きなフィルターを動作させながらブラシにて自動的に清掃している。この場合も上記の様な環境下ではブラシ付近に塵がたまり問題となる可能性が考えられる。
【０００９】
特許文献３では集めた塵を効率よく廃棄する方法が公開されている。室内など周囲へ塵を拡散させることなく集めることが出来る点では有用であるが、上記の様に、極端に塵の多い環境では塵の拡散を考慮する必要はない。
【先行技術文献】
【特許文献】
【００１０】
【特許文献１】特開２００７-１３０６２８号公報
【特許文献２】特開平１０-２６０４号公報
【特許文献３】特開２０１０-６５９０８号公報
【発明の概要】
【発明が解決しようとする課題】
【００１１】
極端に塵の多い環境では、直ぐにフィルタが目詰まりを起こし通過する空気の量が低下
してしまうので、冷却効果もまた低下し収納機器の冷却が十分行なえなくなる。本発明は上記の問題に鑑みなされたものであって、エアフィルターを定期的に取り外して清掃する頻度を大幅に軽減し、メンテナンスフリーで長期間用いることができるフィルターの構造体を提供するところにある。
【課題を解決するための手段】
【００１２】
上記の課題を解決するための手段として、請求項１に記載の発明は、装置内部を冷却するための空気を流す吸気口と排気口とを装置側面に、前記吸気口から排気口に空気を流す空気供給ファンと、装置側面外周または内周及び吸気口と排気口を取り巻く様に塵を遮るロール状のフィルターとを設け、前記ロール状のフィルターを装置側面外周または内周を取り巻く様に回転させる駆動部とフィルター動作軸とを設けられたことを特徴とするフィルター構造体である。
【００１３】
また、請求項２に記載の発明は、前記吸気口部においてロール状のフィルターにより遮られ集塵された塵が、ロール状のフィルターを回転移動させ前記排気口部に位置した時に、冷却を行った後の排気空気によりフィルターの塵を吹き飛ばし、フィルターが清掃される事を特徴とする請求項１に記載のフィルター構造体である。
【００１４】
また、請求項３に記載の発明は、塵の量によって、前記ロール状のフィルターの回転速度を可変にできることを特徴とする請求項１または２に記載のフィルター構造体である。
【発明の効果】
【００１５】
本発明によれば、ロールフィルター３を冷却が必要な装置に取り付けたまま、特別に清掃ブラシや集塵手段を備えることなく、自動的に清掃ができ、ロールフィルター３を清掃された状態に保つことができ、極端に塵の多い環境で長期間用フィルター交換なしに稼動する装置を提供できる。
【図面の簡単な説明】
【００１６】
【図１】本発明の実施形態の１例を示し、ロールフィルターを装置の上下側面に取り付けた場合を横から見た側面概念図である。
【図２】本発明の実施形態の１例を示し、ロールフィルターを装置の側面に取り付けた場合のロールフィルターと空気の流れを示した立体概念図である。
【図３】本発明の実施形態の１例を示し、ロールフィルターとロールフィルターを回転させるロールフィルター動作軸の関係を示した立体概念図である。
【発明を実施するための形態】
【００１７】
以下本発明を実施するための形態を、図面を用いて詳細に説明する。
【実施例１】
【００１８】
図1は本発明の実施形態の１例を示す、装置１を横から見た側面概念図である。装置１の中には冷却が必要とされる機器が収納されている。この周囲をロールフィルター３が装置１の上下側面を取り巻いており、ロールフィルター動作軸２によって動作する様になっている。
【００１９】
冷却する為の空気の流れをファン７に依って発生させ、外気の流れＡが装置１の内部に入り、装置内の空気の流れＢとなり、装置１の内部を冷却した後に、排気の流れＣとなる。
【００２０】
この時、図１の装置１が外気の流れＡがロールフィルター３を通過し塵が捕集される。次に空気は装置１の内部を通過することで装置１の内部の空気の流れＢとなり、必要な機
器の冷却を行う。さらに空気は装置１から排気されるが、ここで排気の流れＣとなり、ロールフィルター３を回転させることにより、吸気側でロールフィルター３に付着した塵を吹き飛ばされ清掃される。
【００２１】
外気の流れＡは常に清掃済みの面が供給され、また塵の付着したロールフィルター３は排気の流れＣに移動すると清掃される。
【００２２】
フィルターはプラスチック繊維からなる不織布、プラスチック長系繊維を部分的に接着して成形させたものが使われる。シート状のフィルタ部材をエンドレス構造に加工したロール状ものを直接使うこともできる。
【００２３】
フィルターを回転させる為に、ロール状のエンドレス構造とし、両端部にフィルターを回転させる為、樹脂製のガイドを取り付けることも可能であり、回転用のベルトにフィルタを固定する治具を取り付けても良い。
【００２４】
ロール状に加工したフィルターは機械的強度はそれほど強くなく、回転させる為には機械用度の改善が必要である。
【００２５】
冷却の為のファン７を吸気口５や排気口６の前後に取り付けることができる。冷却が必要な機器に空気が直接当たる方が冷却には効率が良いが、ロールフィルター３に捕捉された塵を吹き飛ばすためには、排気口６側において、ロールフィルター３の内側から外側に風が流れる様に設置した方が洗浄効率は良くなる。
【００２６】
また冷却用のファン７及び洗浄用のファン７をそれぞれ、吸気口５及び排気口6に取り付けても良い。またフィルタの汚れ具合によってロールフィルター３の回転速度を変えたり、回転頻度を変えることにより効率ＵＰとなり、汚れがひどい場合回転させないとファンにより清浄できなくなる場合もある。
【実施例２】
【００２７】
図２は本発明の第二の実施形態の一例で、ロールフィルター３と空気の流れを示した立体概念図である。実施例１では装置１の上下面及び側面にロールフィルター３が取り巻いていたが、本形態ではロールフィルター３は側面に取り巻いている。
【００２８】
このため装置１を底板４、若しくは説明の便宜上図示しない上面へ固定することが出来る。なお、装置１を固定しない場合もロールフィルター３と装置１との隙間から空気が入らないよう板等を設ける。
【実施例３】
【００２９】
図３は本発明の第三の実施形態のロールフィルター３とロールフィルター３を回転させるフィルター動作軸２の関係を示した立体概念図であり、装置１の内部に取り付けるフィルター構造体を示している。
【００３０】
吸気口５より吸気された空気は前述同様、外気の流れＡはロールフィルター３を通過し装置１の内部の空気の流れＢとなり、必要な機器の冷却をおこなった後、排気の流れＣでロールフィルター３に付着している塵を吹き飛ばしながら排気口６より排気される
本実施形態はロールフィルター３が露出しないため取り扱いが容易になる。一方、装置１内部へ塵が侵入しやすくなる。
【００３１】
また、上記実施形態を含め本発明はプレフィルターとして機能する。必要に応じて固定式のフィルターを併用することも出来る。
【符号の説明】
【００３２】
１・・・装置
２・・・ロールフィルター動作軸
３・・・ロールフィルター
４・・・底板
５・・・吸気口
６・・・排気口
７・・・ファン
Ａ・・・外気の流れ
Ｂ・・・装置内の空気の流れ
Ｃ・・・排気の流れ
【図１】
2012040488.tif 000003
【図３】
2012040488.tif 000004
【図２】
2012040488.tif 000005